(57)【要約】【課題】指輪のサイズを小さくできる。【解決手段】指輪が、物体と、前記物体に向かって光を発する発光部と、前記発光部に供給する電力を受信し、かつ、円周方向に配線されるコイル部と、前記発光部及び前記コイル部を有し、導電体であって、通電が絶縁される絶縁部を有する筐体とを含む。【選択図】図１
2020018380.tif 000002
【特許請求の範囲】
【請求項１】
物体と、
前記物体に向かって光を発する発光部と、
前記発光部に供給する電力を受信し、かつ、円周方向に配線されるコイル部と、
前記発光部及び前記コイル部を有し、導電体であって、通電が絶縁される絶縁部を有する筐体と
を含む指輪。
【請求項２】
前記絶縁部は、
前記筐体を切断する切断部である
請求項１に記載の指輪。
【請求項３】
近距離無線通信による電波を受信するタグを更に含む
請求項１又は２に記載の指輪。
【請求項４】
物体と、
前記物体に向かって光を発する発光部と、
前記発光部に供給する電力を受信し、かつ、円周方向に配線されるコイル部と、
前記発光部及び前記コイル部を有し、導電体であって、通電が絶縁される絶縁部を有する筐体とを有する指輪と、
前記電力を供給する電波を前記コイル部に対して送信する給電装置と
を含む指輪システム。
【発明の詳細な説明】
【技術分野】
【０００１】
本発明は、指輪及び指輪システムに関する。
【背景技術】
【０００２】
ＮＦＣ（Ｎｅａｒ  Ｆｉｅｌｄ  Ｃｏｍｍｕｎｉｃａｔｉｏｎ）等を実現させるためのＩＣ（Ｉｎｔｅｇｒａｔｅｄ  Ｃｉｒｃｕｉｔ）を指輪に搭載する技術が知られている（例えば、非特許文献１等）。
【先行技術文献】
【非特許文献】
【０００３】
【非特許文献１】"新たな刺客！スマートリング「Ｔｏｋｅｎ」は指紋認証、ＮＦＣ対応で一味違う"、［online］、平成２９年６月３０日、［平成３０年４月１０日検索］、インターネット〈URL：https://www.gizmodo.jp/2017/06/token-smart-ring.html〉
【発明の概要】
【発明が解決しようとする課題】
【０００４】
しかしながら、従来の技術では、ＮＦＣ用のＩＣ等を搭載すると、指輪のサイズが大きくなる場合が多い。
【０００５】
そこで、本発明に係る一実施形態は、上記のような課題を解決するためになされたものであり、サイズを小さくできる指輪等を提供することを目的とする。
【課題を解決するための手段】
【０００６】
本発明の一実施形態に係る、指輪は、
物体と、
前記物体に向かって光を発する発光部と、
前記発光部に供給する電力を受信し、かつ、円周方向に配線されるコイル部と、
前記発光部及び前記コイル部を有し、導電体であって、通電が絶縁される絶縁部を有する筐体と
を含む。
【発明の効果】
【０００７】
指輪のサイズを小さくすることができる。
【図面の簡単な説明】
【０００８】
【図１】本発明の一実施形態に係る指輪システムのシステム構成例を示すシステム図である。
【図２】本発明の一実施形態に係る指輪の構成要素例及び組み立て例を示す図である。
【図３】本発明の一実施形態に係る指輪を発光させている例を示す図である。
【図４】本発明の一実施形態に係る指輪システムの機能構成例を示す機能ブロック図である。
【図５】比較例の指輪システムを説明する図である。
【図６】本発明の一実施形態に係る指輪における配線例を示す図である。
【発明を実施するための形態】
【０００９】
以下、本発明の一実施形態に係る指輪及び指輪システムの例について説明する。
【００１０】
＜指輪システムのシステム構成例＞
図１は、本発明の一実施形態に係る指輪システムのシステム構成例を示すシステム図である。例えば、図示するように、指輪システム１０は、指輪１１と、台座１２とを含むシステム構成である。
【００１１】
そして、台座１２は、指輪１１に対して無線で電力を供給する給電装置にもなる。すなわち、指輪システム１０は、いわゆるワイヤレス給電（「非接触給電」又は「無線給電」等という場合もあるが、以下の説明では「ワイヤレス給電」という。）で指輪１１に電力を供給する構成である。したがって、台座１２は、無線で電力を供給できるように、送信用のコイル、制御用の電子回路及び電源装置等を含むハードウェア構成である。
【００１２】
一方で、指輪１１は、台座１２が有する給電装置から供給される電力を受信して、発光等が可能な構成である。すなわち、台座１２には、内部にワイヤレスで電力を供給するため、送電コイル、電源及び制御回路等の給電装置が備えられる。
【００１３】
なお、以下の説明では、指輪１１が有するリングに対して、指を通す方向（図では、奥行き方向となる。）を「Ｙ軸方向」という。そして、Ｙ軸方向に対して右手方向（図では、左右方向となる。）、いわゆる水平方向を「Ｘ軸方向」という。また、Ｘ−Ｙ平面に対して垂直となる方向（図では、上下方向となる。）、いわゆる垂直方向（重力方向にもなる。）を「Ｚ軸方向」という。
【００１４】
＜指輪の構成例＞
図２は、本発明の一実施形態に係る指輪の構成要素例及び組み立て例を示す図である。例えば、指輪１１は、図２（Ａ）に示すような構成要素（以下「外観部」という。）と、図２（Ｂ）に示すような構成要素（以下「配線部」という。）と、図２（Ｃ）に示すような構成要素（以下「内部」という。）とを組み合わせて構成される。そして、この３つの構成要素を組み合わせると、例えば、図２（Ｄ）のようになり、指輪１１となる。
【００１５】
外観部は、例えば、図２（Ａ）に示すような位置で、外部筐体１１１に、物体の例である宝石１１２を設置した構成である。そして、外部筐体１１１は、指輪のリングを形成する輪状の金属で導電体（例えば、プラチナ、ジルコニウム、チタン、ゴールド、タンタル）であり、その円周上の一部に絶縁部の例となる切断部Ｃ１がある。すなわち、切断部Ｃ１では、導電体が切断されるため、電気が絶縁される。具体的には、絶縁部は、外部筐体１１１に切れ目を入れる等で形成される。
【００１６】
なお、切断部Ｃ１は、外部筐体１１１において、図示する位置（切断部Ｃ１と示す位置である。）に限られない。すなわち、切断部Ｃ１は、外部筐体１１１上で通電を絶縁できればよく、例えば、切断部Ｃ２のような位置でもよい。具体的には、切断部Ｃ２とする場合は、例えば、図２（Ｅ）のような構成となる。
【００１７】
また、絶縁部を切れ目等で形成する場合には、切れ目は、外部筐体１１１の端部を０．１  ｍｍ（ミリメートル）以上離すのが望ましい。すなわち、切れ目の幅は、０．１  ｍｍ以上であるのが望ましい。これ未満の幅であると、使用の際に接触しやすくなり、通電してしまい、十分な絶縁ができない場合が多い。
【００１８】
一方で、切れ目の幅は、１．０  ｍｍ以下であるのが望ましい。指輪１１は、宝飾品であるため、外観が重要である。すなわち、いわゆる高級品であると、指輪には、高度なデザイン性等が求められる。そのため、外観を損なう原因になりやすい切れ目等は、目立たないのが望ましい。そこで、切れ目の幅を１．０  ｍｍ以下とすると、切れ目が目立ちにくいため、外観上望ましい。
【００１９】
また、絶縁部は、図示するような切断部等でなくともよい。すなわち、絶縁部は、通電を絶縁できればよく、例えば、電気を絶縁できる素材を挿入する等でもよい。
【００２０】
外部筐体１１１は、図示するように、リングを形成するため、指を通せる程度の大きさの輪状である。
【００２１】
配線部は、例えば、図１０（Ｂ）に示すような位置に、発光部の例となるＬＥＤ（発光ダイオード、Ｌｉｇｈｔ  Ｅｍｉｔｔｉｎｇ  Ｄｉｏｄｅ）（以下「ＬＥＤ１１４」という。）が設置される。そして、ＬＥＤ１１４には、コイル部の例である銅線１１３が接続される。
【００２２】
ＬＥＤ１１４は、銅線１１３から電力が供給されると発光する。なお、発光部は、発光が可能な部品であればよい。具体的には、発光部は、例えば、有機ＥＬ（Ｅｌｅｃｔｒｏ−Ｌｕｍｉｎｅｓｃｅｎｃｅ）等でもよい。有機ＥＬは、ＬＥＤと比較して指向性が弱く、全体を照らすのに適する光源である。これに対して、点灯による演出によって、指向性の強弱の要否が異なる。したがって、演出の趣旨等に合わせて発光部は、選択されるのが望ましい。
【００２３】
なお、ＬＥＤ１１４は、宝石１１２に向かって光を当てることができる位置に設置される。具体的には、図示するように、ＬＥＤ１１４は、宝石１１２の真下等に設置される。
【００２４】
銅線１１３は、図示するように、何回か巻かれて輪状である。例えば、銅線１１３は、巻き数が４巻以上であると、いわゆるワイヤレス給電においてコイルの役割を果たせる場合が多い。ただし、巻き数及び直径等は、上記の形式に限られず、銅線１１３がワイヤレス給電において、受電コイルとなればよい。したがって、コイル部は、銅線以外の素材を含んでもよい。
【００２５】
内部は、例えば、外部筐体１１１と同一の素材で形成される内部筐体１１５等である。また、内部筐体１１５は、図示するように、外部筐体１１１とほぼ同じ位置に絶縁部があるのが望ましい。
【００２６】
なお、外観部と、内部とは、組み立て後は、一体感があるのが望ましい。すなわち、外部筐体１１１と、内部筐体１１５とは、例えば、溶接等で接合されるのが望ましい。
【００２７】
＜発光例＞
図３は、本発明の一実施形態に係る指輪を発光させている例を示す図である。図示する例は、台座１２が備える給電装置から、指輪１１に対して電力を供給している状態を示す図である。図示するように、指輪１１は、電力が供給されると、発光する。このように、指輪１１を発光させる演出を行うことができる。
【００２８】
＜機能構成例＞
図４は、本発明の一実施形態に係る指輪システムの機能構成例を示す機能ブロック図である。図示するように、指輪１１は、例えば、宝石１１２と、発光部５０２と、コイル部５０３と、筐体５０４とを含む。一方で、台座１２は、給電部５１０を含む機能構成である。
【００２９】
宝石１１２及び筐体５０４は、例えば、図２における宝石１１２、外部筐体１１１及び内部筐体１１５等で実現される。
【００３０】
発光部５０２は、宝石１１２に向かって光を発する。例えば、発光部５０２は、図２におけるＬＥＤ１１４等で実現される。
【００３１】
コイル部５０３は、発光部５０２に対して電力を供給する。例えば、コイル部５０３は、図２における銅線１１３等で実現される。
【００３２】
筐体５０４は、絶縁部５０５を有する。例えば、絶縁部５０５は、図２における切断部Ｃ１等で実現される。
【００３３】
給電部５１０は、コイル部５０３に対して電力を送信する。例えば、給電部５１０は、給電装置等で実現される。なお、給電部５１０には、コンセント又は電池等の外部電源から電力が供給される。また、ワイヤレス給電のために、電力に対して、変換等が行われてもよい。
【００３４】
＜比較例＞
図５は、比較例の指輪システムを説明する図である。例えば、図示するように、指輪に受信コイル６００を挿入する場合には、図示するように、受信コイル６００は、水平（図ではＸ−Ｙ平面である。）となるように、リング６０１に入れられる。そのため、リング６０１は、受信コイル６００の面積程度を確保するため、幅６０２（図示するように、奥行き方向である。）を大きくする必要がある。具体的には、幅６０２は、１ｃｍ（センチメートル）程度になる場合が多い。
【００３５】
このように、幅６０２が大きいと、指輪のサイズが大きくなり、高級品等の外観に適さない場合が多い。
【００３６】
＜配線例＞
図６は、本発明の一実施形態に係る指輪における配線例を示す図である。例えば、図６（Ａ）に示すように、銅線１１３は、筐体５０４の円周方向（図ではＸ−Ｚ平面である。）に配線されるのが望ましい。このような方向に銅線１１３が配線されると、筐体５０４の幅を狭くすることができる。したがって、図示するような構成であると、筐体５０４を細くすることができ、サイズの小さい指輪とすることができる。このように、細い指輪である方が外観として適する場合が多い。なお、図示するような配線により、指輪は、奥行き方向（この例では、Ｙ軸方向となる。）において細くすることでサイズを小さくするに限られない。すなわち、図示するような配線により、指輪の一部又は全体のサイズが小さくなるのであればよく、奥行き方向以外でサイズが小さくなってもよい。
【００３７】
なお、図６（Ｂ）に示すように、銅線１１３は、完全に円周方向に配線されなくともよい。すなわち、銅線１１３は、Ｚ軸に対してある程度、角度７００があってもよい。角度７００は、２０  °以下であればよい。
【００３８】
なお、図では、絶縁部の記載を省略する。
【００３９】
＜給電方式＞
例えば、給電装置によるワイヤレス給電は、磁界結合、電界結合、マイクロ波、レーザ又は超音波等を利用して行う。なお、電力の供給は、上記のうち、磁界結合を利用する磁界共振方式であるのが望ましい。磁界共振方式は、他の方式と比較して、給電効率を良くできる等の効果を奏する。
【００４０】
＜まとめ＞
指輪システム１０において、筐体５０４が導電体であると、ワイヤレス給電における電波等が筐体５０４に吸収され、発光部５０２が発光するほどの電力が供給できない場合が多い。すなわち、絶縁部５０５がない構成では、例えば、図５に示すように、受信コイルを水平な向きに配線する必要があるため、指輪のサイズが大きくなりやすい。
【００４１】
一方で、本実施形態のように、筐体５０４に絶縁部５０５を設けると、筐体５０４で電力が吸収されなくなるため、コイル部５０３を介して発光部５０２に電力を供給できる。そのため、例えば、図６等で示すように、円周方向にコイル部５０３を配線しても、発光部５０２を発光させることができる。
【００４２】
コイル部５０３の直径より、厚みの方がサイズが小さいため、円周方向にコイル部５０３が配線されると、指輪１１が小さくできる。
【００４３】
例えば、女性用の装飾品等では、サイズが小さいと、見た目が良いとされる場合がある。このような場合等には、上記の指輪１１のように、サイズが小さくできる指輪が望ましい。なお、本実施形態は、装飾品の用途に限らず、様々な指輪に適用されてよい。
【００４４】
＜その他の実施形態＞
指輪には、近距離無線通信による電波を受信するタグが更に含まれるのが望ましい。すなわち、ＮＦＣ等によって、ワイヤレス給電及び近距離通信が実現される。そして、タグにメモリ等の記憶装置があると、データを書き込んだり、又は、読み出したりすることができる。
【００４５】
宝石は、例えば、ダイヤモンド等である。ただし、宝石は、エメラルド等の別の種類でもよい。また、物体は、宝石でなくともよい。例えば、物体は、鉱物、ガラス又は透明度の高い樹脂等でもよい。すなわち、物体は、光がある程度透過できる程度に、ある程度の透明度があればよく、素材の種類等に限定されない。
【００４６】
以上、本発明の例示的な実施形態について説明したが、本発明は、具体的に開示された実施の形態に限定されない。すなわち、特許請求の範囲から逸脱することなく、種々の変形、改良又は変更が可能である。
【符号の説明】
【００４７】
１０  指輪システム
１１  指輪
１２  台座
１１１  外部筐体
１１２  宝石
１１３  銅線
１１４  ＬＥＤ
１１５  内部筐体
５０２  発光部
５０３  コイル部
５０４  筐体
５０５  絶縁部
５１０  給電部
【図１】
2020018380.tif 000003
【図２】
2020018380.tif 000004
【図３】
2020018380.tif 000005
【図４】
2020018380.tif 000006
【図５】
2020018380.tif 000007
【図６】
2020018380.tif 000008